(57)【要約】【課題】遮光部を適切に配置でき、通過光の遮蔽を適切に実施できる調光装置、プロジェクター及び調光装置の製造方法を提供すること。【解決手段】調光装置５は、通過する光の中心軸を挟んでそれぞれ配置される遮光羽根５４，５５と、遮光羽根５４，５５の各端部が互いに近接及び離間する方向に遮光羽根５４，５５を移動させる移動手段（モーター５１及びギア５２，５３）と、を備え、遮光羽根５４，５５は、移動手段により移動されるアーム５４１，５５１と、アーム５４１，５５１に設けられ、アーム５４１，５５１とともに移動して光の通過領域内に配置される遮光部５４２，５５２と、を有し、遮光羽根５４，５５は、それぞれ別体として構成されたアーム５４１，５５１と遮光部５４２，５５２との取付位置を調整可能な調整部５４１４，５４１５，５５１４，５５１５を有する。【選択図】図７
2015114500.tif 000002
【特許請求の範囲】
【請求項１】
通過する光の中心軸を挟んでそれぞれ配置される第１遮光羽根及び第２遮光羽根と、
前記第１遮光羽根及び前記第２遮光羽根の各端部が互いに近接及び離間する方向に前記第１遮光羽根及び前記第２遮光羽根を移動させる移動手段と、を備え、
前記第１遮光羽根及び前記第２遮光羽根は、
前記移動手段と係合して、前記移動手段により移動されるアームと、
前記アームに設けられ、前記アームとともに移動して前記光の通過領域内に配置される遮光部と、を有し、
前記第１遮光羽根及び前記第２遮光羽根の少なくともいずれかは、それぞれ別体として構成された前記アームと前記遮光部との取付位置を調整可能な調整部を有することを特徴とする調光装置。
【請求項２】
請求項１に記載の調光装置において、
前記遮光部は、
前記通過領域内に配置される本体部と、
前記本体部から延出する延出部と、を有し、
前記調整部は、前記アームにおいて前記延出部に応じた位置及び前記延出部のいずれかに配置されていることを特徴とする調光装置。
【請求項３】
請求項２に記載の調光装置において、
前記アーム及び前記遮光部の一方は、前記アームと前記遮光部とを固定する固定部材が固定される孔部を有し、
前記アーム及び前記遮光部の他方は、前記調整部として、前記孔部より内径が大きく形成されて前記固定部材が挿通される挿通孔を有することを特徴とする調光装置。
【請求項４】
請求項３に記載の調光装置において、
前記アームは、前記調整部を有し、
前記遮光部は、前記孔部を有することを特徴とする調光装置。
【請求項５】
光源装置と、
前記光源装置から出射された光を変調する光変調装置と、
変調された前記光を投射する投射光学装置と、
前記光源装置から前記光変調装置に入射される前記光の光路上に配置される、請求項１から請求項４のいずれかに記載の調光装置と、を備えることを特徴とするプロジェクター。
【請求項６】
通過する光の中心軸を挟んでそれぞれ配置される第１遮光羽根及び第２遮光羽根と、前記第１遮光羽根及び前記第２遮光羽根の各端部が互いに近接及び離間する方向に前記第１遮光羽根及び前記第２遮光羽根を移動させる移動手段と、を備える調光装置の製造方法であって、
前記第１遮光羽根及び前記第２遮光羽根は、
前記移動手段と係合して、前記移動手段により移動されるアームと、
前記アームに設けられ、前記アームとともに移動して前記光の通過領域内に配置される遮光部と、を有し、
前記第１遮光羽根及び前記第２遮光羽根の少なくともいずれかは、
前記アームと前記遮光部とを固定する固定部材が固定される孔部を有する前記遮光部と、
前記孔部に応じた位置に前記孔部より内径が大きく形成されて前記固定部材が挿通される挿通孔を有する前記アームと、をそれぞれ別体として有し、
当該製造方法では、
前記アームとは別体として構成された前記遮光部を平面上に配置し、
前記第１遮光羽根及び前記第２遮光羽根がそれぞれ有する前記遮光部の相対位置を調整した状態で、前記平面上に配置された前記遮光部に対して前記移動手段と係合した前記アームを重ねて、前記遮光部に対して前記アームを位置決めし、
前記相対位置が維持された状態で、前記挿通孔に挿通された前記固定部材を前記孔部に固定して、前記遮光部と前記アームとを固定することを特徴とする調光装置の製造方法。
【請求項７】
請求項６に記載の調光装置の製造方法において、
前記遮光部と前記アームとを位置決めした後で、前記遮光部と前記アームとを固定する前に、前記遮光部及び前記アームを前記平面に向かって押圧することを特徴とする調光装置の製造方法。
【請求項８】
請求項６又は請求項７に記載の調光装置の製造方法において、
前記調光装置は、前記移動手段が取り付けられる枠体を備え、
当該製造方法では、
前記遮光部に対して前記アームを位置決めする際に、前記遮光部に対して前記アームを配置する方向に略直交する方向に前記枠体を押圧して、前記遮光部と前記アームとを位置決めすることを特徴とする調光装置の製造方法。
【発明の詳細な説明】
【技術分野】
【０００１】
本発明は、調光装置、プロジェクター及び当該調光装置の製造方法に関する。
【背景技術】
【０００２】
従来、光源装置と、当該光源装置から出射された光を変調する光変調装置と、変調された光束を投射する投射光学装置とを備えたプロジェクターが知られている。このようなプロジェクターとして、光源装置と光変調装置との間に配置され、当該光変調装置に入射される光量を調整して、投射される画像の輝度を調整する調光装置を備えたプロジェクターが知られている（例えば、特許文献１参照）。
【０００３】
この特許文献１に記載の調光装置は、一対の遮光部材と、回動機構とを備える。これらのうち、回動機構は、モーターと、当該モーターの回転が伝達される伝達部と、当該伝達部により伝達される回転力により互いに反対方向に回動される一対の駆動ギアとを備える。これら駆動ギアは、通過する光束の中心軸に直交する方向に沿う回動軸を中心として回動可能に設けられている他、それぞれ遮光部材を支持している。これら駆動ギアが回動されると、各遮光部材の端部が互いに近接する方向に移動される。これにより、各遮光部材が光束の通過領域内に配置されて、当該光束の少なくとも一部が遮光される。このように、各遮光部材による遮光が行われると、光変調装置に入射される光量が減じられ、当該光変調装置により形成される画像の光量（輝度）が調整される。
【先行技術文献】
【特許文献】
【０００４】
【特許文献１】特開２０１０−２１７６５１号公報
【発明の概要】
【発明が解決しようとする課題】
【０００５】
ここで、前述の特許文献１に記載の調光装置では、各遮光部材が上記光束の通過領域内に最も挿入された状態（遮光量が最大となる状態。以下、全閉状態という）では、遮光部材の寸法公差により、各遮光部材が噛み合ってしまう場合が生じうる。特に、遮光量をより高めるために、全閉状態での遮光部材間の隙間が小さくなるように設計された調光装置では、部品寸法のばらつきによって、遮光部材同士がぶつかってしまう可能性が高くなるという問題がある。
【０００６】
本発明は、遮光部を適切に配置でき、通過光の遮蔽を適切に実施できる調光装置、プロジェクター及び調光装置の製造方法を提供することを目的の１つとする。
【課題を解決するための手段】
【０００７】
本発明の第１態様に係る調光装置は、通過する光の中心軸を挟んでそれぞれ配置される第１遮光羽根及び第２遮光羽根と、前記第１遮光羽根及び前記第２遮光羽根の各端部が互いに近接及び離間する方向に前記第１遮光羽根及び前記第２遮光羽根を移動させる移動手段と、を備え、前記第１遮光羽根及び前記第２遮光羽根は、前記移動手段と係合して、前記移動手段により移動されるアームと、前記アームに設けられ、前記アームとともに移動して前記光の通過領域内に配置される遮光部と、を有し、前記第１遮光羽根及び前記第２遮光羽根の少なくともいずれかは、それぞれ別体として構成された前記アームと前記遮光部との取付位置を調整可能な調整部を有することを特徴とする。
【０００８】
前記第１態様によれば、調整部にて、アームと遮光部との取付位置を調整した状態でこれらを固定できる。このため、それぞれ別体として構成された遮光部及びアームに部品寸法のばらつきが生じた場合でも、各遮光羽根における適切な位置に遮光部を位置させることができる。従って、通過する光の遮蔽を適切に実施できる。
【０００９】
前記第１態様では、前記遮光部は、前記通過領域内に配置される本体部と、前記本体部から延出する延出部と、を有し、前記調整部は、前記アームにおいて前記延出部に応じた位置及び前記延出部のいずれかに配置されていることが好ましい。
前記第１態様によれば、光を遮蔽することで高温となりやすい本体部から離れた位置に、調整部を配置できる。従って、遮光によって生じる熱の影響を低減でき、調整部の変形、ひいては、遮光部及びアームに歪みが生じることを抑制できる。
【００１０】
前記第１態様では、前記アーム及び前記遮光部の一方は、前記アームと前記遮光部とを固定する固定部材が固定される孔部を有し、前記アーム及び前記遮光部の他方は、前記調整部として、前記孔部より内径が大きく形成されて前記固定部材が挿通される挿通孔を有することが好ましい。
なお、固定部材としては、挿通孔の内径より大きな頭部を有するねじを例示できる。
前記第１態様によれば、調整部としての挿通孔を挿通する固定部材を孔部に固定することにより、アームと遮光部とを確実に固定できる。この際、挿通孔が孔部の内径より大きな内径を有することにより、当該挿通孔内に孔部が位置する範囲において、アームと遮光部との取付位置を確実に調整できる。従って、アームと遮光部とを確実に固定でき、これらの取付位置の調整を容易に実施できる他、調整部の構成を簡易な構成とすることができる。また、光を遮蔽する遮光部は高温となるが、固定部材としてねじを採用すれば、アームと遮光部との固定に接着剤が用いられる場合に比べ、これらを確実に固定できる。
【００１１】
前記第１態様では、前記アームは、前記調整部を有し、前記遮光部は、前記孔部を有することが好ましい。
ここで、各遮光部は、上記のように、移動される各遮光羽根において適切な位置に配置されている必要がある。このため、調光装置の製造時には、各遮光羽根のアーム及び遮光部がそれぞれ別体である場合には、各遮光部を平面上に配置した後、各遮光部と重なるように、移動手段と係合した各アームを配置することが考えられる。或いは、一方の遮光羽根のみアームと遮光部とが別体である場合には、当該遮光部を平面上に配置した後、当該遮光部に合わせて他方の遮光羽根の遮光部を配置するとともに、当該平面上に配置された遮光部と重なるように一方の遮光羽根のアームを配置することが考えられる。
これらのいずれの場合においても、アームに、固定部材が挿通する挿通孔である調整部が設けられ、当該アームにより覆われる遮光部に、固定部材が固定される孔部が設けられていることで、平面上にそれぞれ配置されたアームと遮光部とを、当該遮光部に対してアームを配置する方向から容易に固定できる。
【００１２】
本発明の第２態様に係るプロジェクターは、光源装置と、前記光源装置から出射された光を変調する光変調装置と、変調された前記光を投射する投射光学装置と、前記光源装置から前記光変調装置に入射される前記光の光路上に配置される上記調光装置と、を備えることを特徴とする。
前記第２態様によれば、上記調光装置と同様の効果を奏することができるので、光変調装置に入射される光を確実に遮蔽でき、当該光変調装置に入射される光量を確実かつ適切に調整できる。
【００１３】
本発明の第３態様に係る調光装置の製造方法は、通過する光の中心軸を挟んでそれぞれ配置される第１遮光羽根及び第２遮光羽根と、前記第１遮光羽根及び前記第２遮光羽根の各端部が互いに近接及び離間する方向に前記第１遮光羽根及び前記第２遮光羽根を移動させる移動手段と、を備える調光装置の製造方法であって、前記第１遮光羽根及び前記第２遮光羽根は、前記移動手段と係合して、前記移動手段により移動されるアームと、前記アームに設けられ、前記アームとともに移動して前記光の通過領域内に配置される遮光部と、を有し、前記第１遮光羽根及び前記第２遮光羽根の少なくともいずれかは、前記アームと前記遮光部とを固定する固定部材が固定される孔部を有する前記遮光部と、前記孔部に応じた位置に前記孔部より内径が大きく形成されて前記固定部材が挿通される挿通孔を有する前記アームと、をそれぞれ別体として有し、当該製造方法では、前記アームとは別体として構成された前記遮光部を平面上に配置し、前記第１遮光羽根及び前記第２遮光羽根がそれぞれ有する前記遮光部の相対位置を調整した状態で、前記平面上に配置された前記遮光部に対して前記移動手段と係合した前記アームを重ねて、前記遮光部に対して前記アームを位置決めし、前記相対位置が維持された状態で、前記挿通孔に挿通された前記固定部材を前記孔部に固定して、前記遮光部と前記アームとを固定することを特徴とする。
【００１４】
なお、固定部材は、上記と同様に、挿通孔の内径より大きな頭部を有するねじを例示できる。
前記第３態様によれば、挿通孔の内径は孔部の内径より大きいので、遮光部とアームとの間に部品寸法のばらつきに起因するずれが生じた場合でも、挿通孔内に孔部が位置する範囲においてアームと遮光部との取付位置を調整できる。従って、各遮光羽根における適切な位置に遮光部を位置させることができ、通過する光の遮蔽を適切に実施できる調光装置を簡易に製造できる。
【００１５】
前記第３態様では、前記遮光部と前記アームとを位置決めした後で、前記遮光部と前記アームとを固定する前に、前記遮光部及び前記アームを前記平面に向かって押圧することが好ましい。
前記第３態様によれば、遮光部とアームとが平面に向かって押圧されることで、がたつくこと無く、これらの位置合わせ状態を維持できる。
【００１６】
前記第３態様では、前記調光装置は、前記移動手段が取り付けられる枠体を備え、当該製造方法では、前記遮光部に対して前記アームを位置決めする際に、前記遮光部に対して前記アームを配置する方向に略直交する方向に前記枠体を押圧して、前記遮光部と前記アームとを位置決めすることが好ましい。
前記第３態様によれば、遮光部に対してアームを配置する方向に略直交する方向に枠体が付勢されることで、遮光部とアームとの位置が調整された状態を維持できる。従って、遮光部とアームとの固定を一層容易に実施できる。
【図面の簡単な説明】
【００１７】
【図１】本発明の一実施形態に係るプロジェクターの構成を示す模式図。
【図２】前記実施形態における調光装置を示す斜視図。
【図３】前記実施形態における調光装置を示す斜視図。
【図４】前記実施形態における調光装置を示す斜視図。
【図５】前記実施形態における遮光部を示す斜視図。
【図６】前記実施形態における調光装置を示す斜視図。
【図７】前記実施形態におけるアーム位置合わせ工程を示す図。
【図８】前記実施形態における遮光羽根固定工程を示す図。
【図９】前記実施形態における調光装置の変形例を示す斜視図。
【発明を実施するための形態】
【００１８】
以下、本発明の一実施形態について、図面に基づいて説明する。
［プロジェクターの概略構成］
図１は、本実施形態に係るプロジェクター１の構成を示す模式図である。なお、以下の図及び説明において、Ｚ方向は、光源装置３１から出射された時点での光の進行方向を示し、Ｘ方向及びＹ方向は、当該Ｚ方向に直交し、かつ、互いに直交する方向を示す。これらのうち、Ｙ方向は、例えばプロジェクター１が設置台等に載置された場合では鉛直方向とは反対方向である上方（すなわち、外装筐体２の底面から天面に向かう方向）であり、Ｘ方向は、Ｚ方向側（光の進行方向の基端側）から見て左から右に向かう方向である。
本実施形態に係るプロジェクター１は、画像情報に応じた画像をスクリーン等の被投射面上に拡大投射する。このプロジェクター１は、図１に示すように、外装筐体２と、当該外装筐体２内に収納される光学ユニット３とを備える。この他、図示を省略するが、プロジェクター１は、当該プロジェクター１を制御する制御装置、電力を供給する電源装置、及び、冷却対象を冷却する冷却装置を備える。
【００１９】
［光学ユニットの構成］
光学ユニット３は、画像情報に応じた画像を形成及び投射する。この光学ユニット３は、光源装置３１及び各種光学装置３２〜３６と、これらを支持する光学部品用筐体４と、を備える。
【００２０】
光源装置３１は、光源ランプ３１１及びリフレクター３１２を有し、照明光学装置３２に光束を出射する。
照明光学装置３２は、光源装置３１から出射された光束の中心軸に対する直交面内の照度を均一化する。この照明光学装置３２は、光源装置３１からの光の入射順に、第１レンズアレイ３２１、調光装置５、第２レンズアレイ３２２、偏光変換素子３２３及び重畳レンズ３２４を有する。
第１レンズアレイ３２１は、詳しい図示を省略するが、光源装置３１から出射された光束を複数の部分光束に分割する複数の第１小レンズがマトリクス状に配列された構成を有する。また、第２レンズアレイ３２２は、第１レンズアレイ３２１の各第１小レンズに応じた複数の第２小レンズがマトリクス状に配列された構成を有する。そして、第２レンズアレイ３２２及び重畳レンズ３２４は、入射される各部分光束を後述する液晶パネル３５３の画像形成領域に重畳させて、当該画像形成領域を均一に照明する。
【００２１】
偏光変換素子３２３は、入射された光の偏光方向を一種類に揃える。
調光装置５は、第１レンズアレイ３２１を介して第２レンズアレイ３２２に入射される光の少なくとも一部を遮蔽して、当該第２レンズアレイ３２２、ひいては、液晶パネル３５３に入射される光量を調整する。なお、調光装置５の構成については、後に詳述する。
【００２２】
色分離光学装置３３は、照明光学装置３２から入射される光束を、赤（Ｒ）、緑（Ｇ）及び青（Ｂ）の３つの色光に分離する。この色分離光学装置３３は、ダイクロイックミラー３３１，３３２及び反射ミラー３３３を有する。
リレー光学装置３４は、分離された３つの色光のうち、他の色光に比べて光路が長い赤色光の光路上に設けられる。このリレー光学装置３４は、入射側レンズ３４１、リレーレンズ３４３及び反射ミラー３４２，３４４を有する。
【００２３】
電気光学装置３５は、分離された各色光を画像情報に応じてそれぞれ変調した後、変調された各色光を合成する。この電気光学装置３５は、色光ごとに設けられる３つのフィールドレンズ３５１、３つの入射側偏光板３５２、光変調装置としての３つの液晶パネル３５３（赤、緑及び青用の液晶パネルをそれぞれ３５３Ｒ，３５３Ｇ，３５３Ｂとする）及び３つの出射側偏光板３５４と、変調された各色光を合成する色合成光学装置としてのクロスダイクロイックプリズム３５５とを有する。
投射光学装置３６は、合成された色光（画像を形成する光束）を上記被投射面上に拡大投射する投射レンズである。
【００２４】
光学部品用筐体４は、詳しい図示を省略するが、各種光学部品を収納する溝部が形成された部品収納部材と、当該部品収納部材に形成された部品収納用の開口部を閉塞する蓋状部材と、投射光学装置３６を支持する支持部材と、を備える。
この光学部品用筐体４には、照明光軸Ａｘが設定されており、上記光源装置３１及び各光学装置３２〜３６は、当該照明光軸Ａｘに対する所定位置に配置される。このため、光源装置３１が光学部品用筐体４に配置された際には、当該光源装置３１から出射される光の中心軸は、照明光軸Ａｘと一致する。
【００２５】
［調光装置の構成］
図２〜図４は、調光装置５を示す斜視図である。これらのうち、図２及び図３は、遮光羽根５４，５５が全閉状態（遮光量が最大となる状態であり、各遮光羽根５４，５５を最も近接させた状態）にある場合の調光装置５を光入射側から見た斜視図であり、図４は、当該調光装置５を光出射側から見た斜視図である。
調光装置５は、第１レンズアレイ３２１と第２レンズアレイ３２２との間に配置される。この調光装置５は、図２〜図４に示すように、モーター５１、ギア５２，５３、遮光羽根５４，５５及び枠体５６を備え、ユニットとして構成されている。これらのうち、モーター５１及びギア５２，５３は、本発明の移動手段を構成する。
【００２６】
［枠体の構成］
枠体５６は、内部が中空な略四角柱状に形成されている。具体的に、枠体５６は、ＹＺ平面に沿い、互いに対向する第１面部５６１及び第２面部５６２と、ＸＺ平面に沿い、かつ、互いに対向する第３面部５６３及び第４面部５６４を有する。なお、第１面部５６１は、第２面部５６２に対してＸ方向とは反対側に位置し、第３面部５６３は、第４面部５６４に対してＹ方向側に位置する。
【００２７】
第１面部５６１には、モーター５１及びギア５２，５３が取り付けられる。
第２面部５６２は、図３及び図４に示すように、遮光羽根５４，５５が有するピン状部５４１２，５５１２が挿入される孔部５６２１と、枠体５６内の遮光羽根５４，５５により熱せられた空気を外部に逃がす流通口５６２２とを有する。
更に、第２面部５６２には、ピン状部５４１２，５５１２と係合して、当該ピン状部５４１２，５５１２の第２面部５６２からの脱落を防止する付勢部材５６５が設けられている。この付勢部材５６５は、本実施形態では、コイルばねの一対の端部を延長して平面視Ｖ字状に形成したものである。
【００２８】
［モーターの構成］
モーター５１は、遮光羽根５４，５５を移動させる駆動力を発生させる駆動手段であり、本実施形態では、上記制御装置により制御されるステッピングモーターにより構成されている。このモーター５１は、図４に示すように、モーター本体５１１と、当該モーター本体５１１から延出する回転軸５１２に設けられたギア５１３と、を備える。
モーター本体５１１は、枠体５６の第１面部５６１における外面５６１Ａ（第２面部５６２とは反対側の面）にねじ固定され、当該第１面部５６１に形成された孔部５６１１に回転軸５１２が挿通される。
ギア５１３は、回転軸５１２の先端に設けられ、ギア５２と噛合する。
【００２９】
［ギアの構成］
ギア５２，５３は、モーター５１の回転力が伝達される伝達手段として機能する他、遮光羽根５４，５５を支持する支持手段としても機能する。
これらギア５２，５３は、図４に示すように、それぞれ略１／３円形状を有する。
ギア５２は、円弧状部５２１とは反対側の端部に孔部５２２を有する。そして、第１面部５６１の内面５６１Ｂ（第２面部５６２と対向する面）に固定されるピン５７が、孔部５２２に挿通されることで、ギア５２は、当該内面５６１Ｂに回動可能に支持される。
一方、円弧状部５２１は、ギア５１３と噛合する複数の歯を有する。このため、ギア５２は、ギア５１３の回動に伴って、ピン５７の中心軸（Ｘ方向に沿う回動軸）を中心として回動する。
【００３０】
円弧状部５２１により接続される一対の縁部５２３，５２４（縁部５２４については図３参照）のうち縁部５２４側には、第２面部５６２側（Ｘ方向側）に突出する固定部５２５が設けられている。この固定部５２５は、ねじ孔（図示省略）と、光入射側に突出する位置決めピン５２６（図３参照）とを有する。そして、図３に示すように、位置決めピン５２６が挿通されて位置決めされた遮光羽根５４のアーム５４１が、当該アーム５４１に挿通されてねじ孔に螺合されるねじＳ１により、固定部５２５に固定される。
【００３１】
ギア５３は、ギア５２と同様の形状及び構成を有する。
具体的に、ギア５３は、図４に示すように、円弧状部５３１とは反対側の端部に孔部５３２が形成されている。そして、ギア５３は、孔部５３２を挿通するピン５８により、ギア５２と同様に内面５６１Ｂに回動可能に支持される。
一方、円弧状部５３１は、円弧状部５２１に形成された上記複数の歯と噛合する複数の歯を有する。このため、ギア５３は、ギア５２の回動に伴って当該ギア５２とは反対方向に回動する。
【００３２】
円弧状部５３１により接続される一対の縁部５３３，５３４（縁部５３４については図３参照）のうち縁部５３４側には、第２面部５６２側（Ｘ方向側）に突出する固定部５３５が設けられている。この固定部５３５は、固定部５２５と同様に、ねじ孔（図示省略）と、光入射側に突出する位置決めピン５３６（図３参照）とを有する。そして、図３に示すように、位置決めピン５３６が挿通されて位置決めされた遮光羽根５５のアーム５５１が、当該アーム５４１を挿通してねじ孔に螺合するねじＳ２により、固定部５３５に固定される。
【００３３】
［遮光羽根の構成］
遮光羽根５４，５５は、本発明の第１遮光羽根及び第２遮光羽根に相当する。これら遮光羽根５４，５５は、図２〜図４に示すように、第１レンズアレイ３２１から出射された光の中心軸（すなわち照明光軸Ａｘ）を中心として対称配置され、ギア５２，５３の回動に伴って互いに近接又は離間する方向に、同じ角度及び同じ移動量で回動する。すなわち、各遮光羽根５４，５５は、当該中心軸を中心に互いに対向して配置され、換言すると、当該中心軸を挟んでそれぞれ配置されている。
これらのうち、遮光羽根５４は、遮光羽根５５に対してＹ方向側に位置する。この遮光羽根５４は、アーム５４１と、当該アーム５４１に対して光出射側（Ｚ方向側）に位置し、当該アーム５４１にねじＳ３により取り付けられる遮光部５４２とを有する。
【００３４】
［アームの構成］
アーム５４１は、板金を折曲加工して形成された横向きの略Ｆ字状を有する板状体であり、長手方向がＸ方向に沿うようにギア５２に固定される。このアーム５４１は、ギア５２側（Ｘ方向とは反対側）の端部に固定部５２５に固定される取付部５４１１（図２及び図３）と、ギア７２側とは反対側（Ｘ方向側）の端部に第２面部５６２の孔部５６２１を挿通するピン状部５４１２（図３及び図４）とを有する。
【００３５】
また、アーム５４１は、当該アーム５４１の略中央から遮光羽根５５側に突出し、ギア５２の回動に伴って光の通過領域内に配置されるアーム側遮光部５４１３を有する。このアーム側遮光部５４１３は、遮光部５４２の一部と重なるように形成されており、入射される光を遮蔽する。
更に、アーム５４１は、光の通過領域外（すなわち、アーム５４１におけるアーム側遮光部５４１３の外側）の位置で、かつ、互いに離間した位置に、遮光部５４２を当該アーム５４１に沿って位置調整した後に当該アーム５４１に取り付けるための調整部５４１４，５４１５を有する。具体的に、調整部５４１４は、アーム５４１におけるＸ方向とは反対側の端部側に配置され、調整部５４１５は、Ｘ方向側の端部側に配置されている。なお、これら調整部５４１４，５４１５の構成は、遮光部５４２に対するアーム５４１の位置調整とともに、後に詳述する。
【００３６】
［遮光部の構成］
図５は、全閉状態における遮光部５４２，５５２を示す斜視図である。換言すると、図５は、後述する遮光羽根位置決め工程にて、治具のステージＳＴ上に載置された各遮光部５４２，５５２を示す斜視図である。
遮光部５４２は、ギア５２の回動に伴って第１レンズアレイ３２１から第２レンズアレイ３２２に入射される光の通過領域内に配置され、当該光を遮蔽する。この遮光部５４２は、図５に示すように、第１遮光部５４３及び第２遮光部５４４を有する。
【００３７】
これらのうち、第２遮光部５４４は、第１遮光部５４３に対して光入射側（Ｚ方向とは反対側）に位置する略矩形状の板体である。この第２遮光部５４４は、略中央部に長孔５４４１及び孔５４４２を有する。そして、当該長孔５４４１及び孔５４４２に、第１遮光部５４３に突設された突起５４３２が挿入されて位置決めされた状態で、第２遮光部５４４は、第１遮光部５４３に熱融着される。
また、第２遮光部５４４は、第１遮光部５４３に取り付けられた際に遮光羽根５５側（照明光軸Ａｘ側）となる端部が、第１遮光部５４３における同方向の端部から離間する方向に傾斜した傾斜部５４４３を有する。
【００３８】
第１遮光部５４３は、板金を折曲加工して略Ｔ字状に形成された板体であり、アーム５４１に取り付けられる。この第１遮光部５４３は、第２遮光部５４４が取り付けられるとともに、入射される光を遮蔽する平坦面を有する本体部５４３１と、当該本体部５４３１から光入射側（Ｚ方向とは反対側）に屈曲した後、それぞれ互いに離間する方向（Ｘ方向）に延出する一対の延出部５４３４，５４３６とを有する。
【００３９】
本体部５４３１は、略矩形状に形成されており、略中央にそれぞれ略円柱状の一対の突起５４３２を有する。これら突起５４３２は、前述の長孔５４４１及び孔５４４２にそれぞれ挿入される。なお、一方の突起５４３２が挿入される孔が長孔５４４１であるので、これら突起５４３２の位置、並びに、長孔５４４１及び孔５４４２の位置が設計上の位置からずれた場合でも、第１遮光部５４３に第２遮光部５４４を適切に取付可能である。
また、本体部５４３１において遮光羽根５５側の端部の略中央には、図５では図示を省略するが、本体部５４３１の中心に向かって凹んだ円弧状の凹部５４３３（図４参照）が形成されている。
【００４０】
一対の延出部５４３４，５４３６は、上記調整部５４１４，５４１５に応じた位置に、ねじ孔である孔部５４３５，５４３７を有する。具体的に、孔部５４３５は、Ｘ方向とは反対方向に延出する延出部５４３４の先端部近傍に設けられ、孔部５４３７は、Ｘ方向に延出する延出部５４３６の先端部近傍に設けられている。そして、調整部５４１４，５４１５を挿通するねじＳ３（図２及び図３参照）を、対応する孔部５４３５，５４３７にそれぞれ螺合させることにより、第１遮光部５４３がアーム５４１に固定される。
【００４１】
遮光羽根５５は、遮光羽根５４と同様の構成を有する。具体的に、遮光羽根５５は、図２〜図４に示すように、長手方向がＸ方向に沿うようにギア５３に取り付けられるアーム５５１と、当該アーム５５１に取り付けられる遮光部５５２と、を備える。
アーム５５１は、アーム５４１と同様に、ギア５３の固定部５３５に取り付けられる取付部５５１１（図２及び図３）をＸ方向とは反対側の端部に有し、第２面部５６２の孔部５６２１を挿通するピン状部５５１２（図３及び図４）をＸ方向側の端部に有する。
【００４２】
更に、アーム５５１は、当該アーム５５１の略中央から遮光羽根５４側（照明光軸Ａｘ側）に突出する略矩形状のアーム側遮光部５５１３（図２及び図３）を有する。
加えて、アーム５５１は、光の通過領域外（アーム５５１におけるアーム側遮光部５５１３の外側）の位置で、かつ、互いに離間した位置に、上記調整部５４１４，５４１５と同様の機能を有する２つの調整部５５１４，５５１５を有する。具体的に、調整部５５１４は、アーム５５１におけるＸ方向とは反対側の端部近傍に配置され、調整部５５１５は、Ｘ方向側の端部近傍に配置されている。なお、調整部５５１４，５５１５の構成は、遮光部５５２に対するアーム５５１の位置調整とともに、後に詳述する。
【００４３】
遮光部５５２は、ギア５３の回動に伴って光の通過領域内に配置されて、当該光を遮蔽する。この遮光部５５２は、遮光部５４２と同様の構成を有し、図５に示すように、第１遮光部５５３及び第２遮光部５５４を有する。
第１遮光部５５３は、第１遮光部５４３と同様に略Ｔ字状に形成され、本体部５５３１と、当該本体部５５３１の両端から光入射側（Ｚ方向とは反対側）に屈曲した後、Ｘ方向に沿って互いに離間する方向に延出する延出部５５３４，５５３６と、を有する。
【００４４】
本体部５５３１は、第２遮光部５５４側に突出した略円柱状の２つの突起５５３２を略中央に有する。この他、本体部５５３１は、図５では図示を省略するが、遮光羽根５４側（照明光軸Ａｘ側）の端部に、当該本体部５５３１の中心側に凹んだ略円弧状の凹部５５３３（図４参照）を有する。
Ｘ方向とは反対方向に延出する延出部５５３４は、その先端部近傍で、かつ、上記調整部５５１４に応じた位置にねじ孔である孔部５５３５を有する。また、Ｘ方向に延出する延出部５５３６は、その先端部近傍で、かつ、上記調整部５５１５に応じた位置にねじ孔である孔部５５３７を有する。これら孔部５５３５，５５３７に、対応する調整部５５１４，５５１５を挿通されたねじＳ３が螺合することで、第１遮光部５５３がアーム５５１に固定される。
【００４５】
第２遮光部５５４は、本体部５５３１に光入射側から熱融着される略矩形の板体であり、ギア５３の回動に伴って光の通過領域に配置されて当該光を遮蔽する。
この第２遮光部５５４は、第２遮光部５４４と同様に、それぞれ突起５５３２が挿入される長孔５５４１及び孔５５４２を略中央に有する。
また、第２遮光部５５４は、本体部５５３１において凹部５５３３が形成された端部側に、当該端部から離間する方向に傾斜した傾斜部５５４３を有する。
【００４６】
［調光装置による遮光］
遮光羽根５４，５５が全閉状態にある場合には、図２〜図４に示したように、第１レンズアレイ３２１から出射された光の通過領域内に、アーム側遮光部５４１３，５５１３、本体部５４３１，５５３１及び第２遮光部５４４，５５４がそれぞれ配置され、これらは、当該光の中心軸（照明光軸Ａｘ）にそれぞれ略直交する。これにより、当該光のほぼ全てが遮蔽されることとなり、上記液晶パネル３５３に入射される光量は最小値となる。
そして、ギア５２，５３が回動して、各遮光羽根５４，５５間の寸法（隙間）が大きくなる方向に、当該各遮光羽根５４，５５が移動した場合には、上記構成による遮光量が減り、通過光量が増加する。これにより、上記液晶パネル３５３に入射される光量が増加する。
【００４７】
図６は、遮光羽根５４，５５が全開状態（遮光量が最少となる状態であり、各遮光羽根５４，５５を最も離間させた状態）にある場合の調光装置５を光出射側から見た斜視図である。
ギア５２，５３が回動して、各遮光羽根５４，５５が全開状態となった場合には、図６に示すように、第１レンズアレイ３２１から出射された光の通過領域内に、当該各遮光羽根５４，５５が位置しなくなる。これにより、第１レンズアレイ３２１から出射された光のほぼ全てが第２レンズアレイ３２２に入射され、上記液晶パネル３５３に入射される光量は最大値となる。
【００４８】
ここで、遮光羽根５４が全閉状態にある時に、アーム側遮光部５４１３の先端部（すなわち、照明光軸Ａｘ側の端部）は、傾斜部５４４３及び第１遮光部５４３における同方向の端部より照明光軸Ａｘ側とは反対側に位置しているものの、アーム側遮光部５４１３も上記光の通過領域内に位置する。アーム側遮光部５５１３も同様である。
このため、遮光羽根５４，５５が全閉状態にある場合には、遮光によって生じる熱を、遮光部５４２，５５２と、当該遮光部５４２，５５２に対して光入射側に位置するアーム５４１，５５１とで分散させることができる。従って、アーム側遮光部５４１３，５５１３をアーム５４１，５５１に設けたことにより、調光装置５の光路後段（Ｚ方向）に位置する第２レンズアレイ３２２の温度が、遮光時の遮光羽根５４，５５の輻射熱により上昇することを抑制できる。
【００４９】
また、遮光部５４２，５５２は、第１遮光部５４３，５５３と、光入射側に位置する第２遮光部５４４，５５４とを有し、遮光羽根５４，５５の回動状態によっては、通過光は、第２遮光部５４４，５５４と本体部５４３１，５５３１とにより遮蔽される。これによれば、遮光によって生じる熱を、第１遮光部５４３，５５３と第２遮光部５４４，５５４とに分散させることができる。従って、遮光羽根５４，５５の劣化を抑制できる。
【００５０】
更に、遮光羽根５４，５５が全閉状態である時に互いに近接する第１遮光部５４３，５５３の端部（すなわち、照明光軸Ａｘ側の端部）には、円弧状の凹部５４３３，５５３３が形成されている。これにより、遮光羽根５４，５５を光の通過領域内外に移動させる際に、通過する光（すなわち、液晶パネル３５３に重畳される光）の照度分布を均一に保つことができる他、なだらかな減光を実現できる。
加えて、各第２遮光部５４４，５５４が、上記傾斜部５４４３，５５４３を有することにより、遮光羽根５４，５５を光の通過領域内外に移動させる際に、通過光量が段階的に変化することを抑制できる。この他、色むらの発生を抑制でき、上記照度分布を均一に保ちやすくすることができる。
【００５１】
［調光装置の製造方法］
上記調光装置５は、以下に示す遮光部位置決め工程、アーム位置合わせ工程及び遮光羽根固定工程を経て組み立てられ、これにより上記調光装置５が製造される。
【００５２】
［遮光部位置決め工程］
遮光部位置決め工程では、図５に示したように、治具等の平面であるステージＳＴ上に、遮光部５４２，５５２を載置する。この際、各遮光部５４２，５５２は、第１遮光部５４３，５５３がステージＳＴ上に載置され、かつ、上記凹部５４３３，５５３３が形成された第１遮光部５４３，５５３の端部が互いに向き合うように配置する。
【００５３】
なお、図示を省略するが、ステージＳＴには、本体部５４３１，５５３１が嵌まり込む凹部が形成されている。この凹部には、第１遮光部５４３，５５３における上記照明光軸Ａｘ側の端部（凹部５４３３，５５３３が形成された端部）間の寸法を設定値とする突条ＳＴ１が形成されている。このため、治具に設けられた第１押圧手段（図示省略）により、当該各端部が互いに近接する方向に各遮光部５４２，５５２が押圧されることで、当該端部間の寸法が設定値となる状態が維持される。なお、この設定値は、各遮光羽根５４，５５（特に遮光部５４２，５５２）の熱膨張を考慮した値となっており、熱膨張が生じた場合でも、全閉状態で各遮光部５４２，５５２が互いに当接しない値に設定されている。
【００５４】
［アーム位置合わせ工程］
図７は、アーム位置合わせ工程を説明する斜視図である。具体的に、図７は、各遮光部５４２，５５２と、ギア５２，５３にそれぞれ取り付けられたアーム５４１，５５１とを位置合わせした状態を光入射側から見た斜視図である。
アーム位置合わせ工程では、図７に示すように、上記ステージＳＴ上に配置された遮光部５４２，５５２に、対応するアーム５４１，５５１が重なるように配置する。この際、遮光部５４２の孔部５４３５，５４３７と、アーム５４１の調整部５４１４，５４１５との位置を合わせるとともに、遮光部５５２の孔部５５３５，５５３７と、アーム５５１の調整部５５１４，５５１５との位置を合わせる。
【００５５】
ここで、調整部５４１４，５４１５は、それぞれ、アーム５４１の長手方向（Ｘ方向）に直交する短手方向（遮光羽根５４が全閉状態にある場合のＹ方向）に長径を有する長円形状の孔部によって構成されている。これら調整部５４１４，５４１５の長径及び短径は、対応する孔部５４３５，５４３７の内径より大きい。
これにより、アーム５４１と遮光部５４２とを固定する際には、孔部５４３５が調整部５４１４内に位置し、かつ、孔部５４３７が調整部５４１５内に位置する範囲で、遮光部５４２に対してアーム５４１を当該アーム５４１に沿って位置調整可能である。
【００５６】
同様に、調整部５５１４，５５１５は、それぞれ、アーム５５１の長手方向（Ｘ方向）に直交する短手方向（遮光羽根５５が全閉状態にある場合のＹ方向）に長径を有する長円形状の孔部によって構成されている。これら調整部５５１４，５５１５の長径及び短径は、対応する孔部５５３５，５５３７の内径より大きい。
これにより、アーム５５１と遮光部５５２とを固定する際には、孔部５５３５が調整部５５１４内に位置し、かつ、孔部５５３７が調整部５５１５内に位置する範囲で、遮光部５５２に対してアーム５５１を当該アーム５５１に沿って位置調整可能である。
【００５７】
なお、治具には、図示を省略するが、上記ステージＳＴから突出し、枠体５６の第１面部５６１及び第４面部５６４により挟まれる角部５６Ａに沿う略Ｌ字状の突出部が設けられている。また、当該治具には、ステージＳＴ上に載置された枠体５６の第２面部５６２及び第３面部５６３により挟まれる角部５６Ｂを、当該枠体５６の中央に向かって押圧する第２押圧手段が設けられている。そして、突出部に角部５６Ａを当接させ、角部５６Ｂを押圧手段により押圧する。すなわち、押圧手段により、角部５６Ｂは、遮光部５４２，５５２に対してアーム５４１，５５１を配置する方向（Ｚ方向）に直交する方向に沿って、枠体５６の中央に向かって押圧される。これにより、遮光部５４２，５５２に対してアーム５４１，５５１を位置調整した状態が維持される。
【００５８】
更に、治具には、図示を省略するが、遮光部５４２に対して位置合わせされたアーム５４１をステージＳＴに向かって押圧する第３押圧手段と、遮光部５５２に対して位置合わせされたアーム５５１をステージＳＴに向かって押圧する第４押圧手段とが設けられている。これら第３押圧手段及び第４押圧手段により、アーム５４１，５５１及び遮光部５４２，５５２がステージＳＴに向かって押圧されることで、がたつくこと無く、これらの位置合わせ状態を維持できる。
【００５９】
［遮光羽根固定工程］
図８は、遮光羽根固定工程を示す斜視図である。
遮光羽根固定工程では、上記アーム位置合わせ工程にて位置合わせされた遮光部５４２とアーム５４１とをねじＳ３により固定して遮光羽根５４を構成し、同様に位置合わせされた遮光部５５２とアーム５５１とをねじＳ４により固定して遮光羽根５５を構成する。具体的に、調整部５４１４に挿通されたねじＳ３を孔部５４３５に螺合させ、調整部５４１５に挿通されたねじＳ３を孔部５４３７に螺合させることで、アーム５４１と遮光部５４２とが固定され、遮光羽根５４が構成される。また、調整部５５１４に挿通されたねじＳ４を孔部５５３５に螺合させ、調整部５４１５に挿通されたねじＳ４を孔部５５３７に螺合させることで、アーム５５１と遮光部５５２とが固定され、遮光羽根５５が構成される。すなわち、調整部５４１４，５４１５，５５１４，５５１５は、ねじＳ３，Ｓ４が挿通される挿通孔である。
【００６０】
このような遮光羽根固定工程により、遮光部５４２と遮光部５５２との間に上記設定値に応じた寸法の隙間が形成された状態で、当該遮光部５４２，５５２が、対応するアーム５４１，５５１に固定される。
なお、これらねじＳ３，Ｓ４は、当該ねじＳ３，Ｓ４が挿入される調整部５４１４，５４１５，５５１４，５５１５の内径より大きい頭部を有する。このため、ねじＳ３，Ｓ４の頭部が、当該調整部５４１４，５４１５，５５１４，５５１５内に嵌まり込むことがなく、アーム５４１、５５１と遮光部５４２，５５２とを確実に固定できる。
【００６１】
以上説明した本実施形態に係るプロジェクター１によれば、以下の効果がある。
調整部５４１４，５４１５にて、アーム５４１と遮光部５４２との取付位置を調整でき、また、調整部５５１４，５５１５にて、アーム５５１と遮光部５５２との取付位置を調整できる。このため、それぞれ別体として構成されたアーム５４１，５５１及び遮光部５４２，５５２に部品寸法のばらつきが生じた場合でも、各遮光羽根５４，５５における適切な位置に遮光部５４２，５５２を位置させることができる。従って、通過する光の遮蔽を適切に実施できる。
【００６２】
調整部５４１４，５４１５は、アーム５４１において光が入射されない位置に配置されている。これによれば、光を遮蔽することで高温となりやすい部位から離れた位置に、調整部５４１４，５４１５を配置できる。従って、遮光によって生じる熱の影響を低減でき、調整部５４１４，５４１５の変形、ひいては、遮光部５４２及びアーム５４１に歪みが生じることを抑制できる。なお、遮光羽根５４における調整部５４１４，５４１５の位置と同様に配置される調整部５５１４，５５１５によっても同様の効果が得られる。
【００６３】
アーム５４１が有する調整部５４１４，５４１５は、ねじＳ３が挿通される挿通孔であり、遮光部５４２は、当該調整部５４１４，５４１５に応じた位置に、ねじＳ３が螺合する孔部５４３５，５４３７を有する。そして、調整部５４１４，５４１５の内径は、対応する孔部５４３５，５４３７の内径より大きい。これによれば、調整部５４１４内に孔部５４３５が位置し、調整部５４１５内に孔部５４３７が位置する範囲内において、アーム５４１と遮光部５４２との取付位置を調整できる。従って、アーム５４１と遮光部５４２とを確実に固定でき、これらの取付位置の調整を容易に実施できる他、調整部５４１４，５４１５の構成を簡易な構成とすることができる。調整部５５１４，５５１５を有するアーム５５１、及び、孔部５５３５，５５３７を有する遮光部５５２によっても同様の効果が得られる。また、光を遮蔽する遮光部５４２，５５２は高温となるが、固定部材としてねじＳ３，Ｓ４が採用されているので、接着剤が採用される場合に比べ、アーム５４１，５５１と遮光部５４２，５５２とを確実に固定できる。
【００６４】
各遮光部５４２，５５２は、ギア５２，５３の回動に伴って移動される各遮光羽根５４，５５において適切な位置に配置されている必要がある。このため、上記製造方法では、調光装置５の製造時（組立時）には、各遮光部５４２，５５２を平面であるステージＳＴ上に配置した後、当該各遮光部５４２，５５２と重なるように、ギア５２，５３に固定された各アーム５４１，５４２を配置している。
ここで、ねじＳ３が挿通される調整部５４１４，５４１５がアーム５４１に設けられ、当該ねじＳ３が螺合する孔部５４３５，５４３７が、アーム５４１によって覆われる遮光部５４２に設けられている。これにより、ステージＳＴ上にそれぞれ配置されたアーム５４１と遮光部５４２とを、当該遮光部５４２に対してアーム５４１を配置する方向から容易に固定できる。従って、アーム５４１と遮光部５４２とを容易に固定できる。なお、当該アーム５４１及び遮光部５４２同様の構成を有するアーム５５１及び遮光部５５２においても同様の効果が得られる。
【００６５】
上記製造方法によれば、上記効果が得られる調光装置５を簡易に製造できる。
また、上記アーム位置合わせ工程では、第３押圧手段及び第４押圧手段により、アーム５４１，５５１及び遮光部５４２，５５２は、ステージＳＴに向かって押圧される。これによれば、これらの位置合わせ状態をがたつき無く維持できる。
【００６６】
上記アーム位置合わせ工程では、治具に設けられた突出部に角部５６Ａが当接された状態で、角部５６Ｂは、遮光部５４２，５５２に対してアーム５４１，５５１を配置する方向に略直交する方向に第２押圧手段により押圧される。これによれば、アーム５４１，５５１と遮光部５４２，５５２との位置が調整された状態を維持できる。従って、アーム５４１，５５１と遮光部５４２，５５２との固定を一層容易に実施できる。
【００６７】
［変形例］
本発明は、前記実施形態に限定されるものではなく、本発明の目的を達成できる範囲での変形、改良等は、本発明に含まれるものである。
前記実施形態では、遮光羽根５４，５５は、それぞれ、照明光軸Ａｘに直交するＸ方向に沿う回動軸を中心として、各遮光羽根５４，５５における遮光部５４２，５５２の端部（凹部５４３３，５５３３が形成された端部）が互いに近接する方向及び離間する方向に回動されることで、各遮光羽根５４，５５が光の通過領域内外に移動される構成であった。しかしながら、本発明はこれに限らない。すなわち、各遮光羽根５４，５５が、照明光軸Ａｘに直交するＹ方向に沿って移動されることで、各遮光羽根５４，５５が光の通過領域内外に移動される構成としてもよい。
また、モーター５１及びギア５２，５３は、本発明の移動手段を構成するとしたが、本発明はこれに限らない。すなわち、遮光羽根５４，５５を光の通過領域内外に移動できれば、移動手段の構成は問わない。
【００６８】
前記実施形態では、調光装置５は、アーム５４１及び遮光部５４２がそれぞれ別体である遮光羽根５４と、アーム５５１及び遮光部５５２がそれぞれ別体である遮光羽根５５とを備える構成であった。しかしながら、本発明はこれに限らない。すなわち、遮光羽根５４，５５のうち、一方の遮光羽根においては、アームと遮光部とが一体、或いは、予め固定された構成であってもよい。この場合、上記一方の遮光羽根を構成する遮光部に対して他方の遮光部を位置合わせし、当該他方の遮光部に対して他方のアームを位置合わせした後、これら他方のアーム及び遮光部を固定する。この場合でも、上記調光装置５と同様の効果が得られる。また、遮光羽根の数も２枚に限らず、適宜変更可能である。
【００６９】
前記実施形態では、アーム５４１が調整部５４１４，５４１５を有する構成としたが、本発明はこれに限らない。すなわち、遮光部５４２が調整部を有する構成としてもよい。この場合、上記ステージＳＴ上に配置された遮光部５４２及びアーム５４１を、当該ステージＳＴ側から調整部に挿入されるねじＳ３で固定してもよい。遮光羽根５５においても同様である。また、ねじ以外の構成により、アームと遮光部とを固定してもよい。
前記実施形態では、調整部５４１４，５４１５を長円形状の長孔として構成したが、本発明はこれに限らない。すなわち、対応する孔部より大きな内径を有するのであれば、調整部は、真円形状、楕円形状及び多角形状等、他の形状を有する孔であってもよい。調整部５５１４，５５１５においても同様である。これらの場合でも、当該孔の内径より大きな頭部を有するねじを採用すればよい。
更に、アームと遮光部とを位置合わせした後に固定できる構成であれば、取付位置を調整可能な調整部の構成は、他の構成でもよく、調整部の数も適宜変更可能である。
【００７０】
図９は、上記調光装置５の変形である調光装置５Ａを光入射側（Ｚ方向とは反対側）から見た斜視図である。
前記実施形態では、アーム５４１，５５１は、ギア５２，５３の回動に伴って当該アーム５４１，５５１が回動されて、光の通過領域内に配置されるアーム側遮光部５４１３，５５１３をそれぞれ有するとした。しかしながら、本発明はこれに限らない。
例えば、図９に示す調光装置５Ａは、アーム５４１，５５１に代えてアーム５４１Ａ，５５１Ａを有する他は、前述の調光装置５と同様の構成及び機能を有する。これらアーム５４１Ａ，５５１Ａは、アーム５４１，５５１とそれぞれほぼ同じ構成及び機能を有するが、上記アーム側遮光部５４１３，５５１３は設けられていない。このようなアーム５４１Ａ，５５１Ａを有する調光装置５Ａでも、前述の調光装置５と同様の効果を奏することができる。
【００７１】
前記実施形態では、遮光羽根５４，５５は、調光装置５を通過する光（前記実施形態では、第１レンズアレイ３２１から出射されて第２レンズアレイ３２２に入射される光）の中心軸を中心として対称配置されていた。しかしながら、本発明はこれに限らない。すなわち、遮光羽根５４，５５は、当該中心軸を中心に互いに対向して配置されていればよく、更には、当該中心軸を挟んでそれぞれ配置されていればよい。
【００７２】
前記実施形態では、プロジェクター１は、３つの液晶パネル３５３（３５３Ｒ，３５３Ｇ，３５３Ｂ）を備えるとしたが、本発明はこれに限らない。すなわち、２つ以下、あるいは、４つ以上の液晶パネルを用いたプロジェクターにも、本発明を適用可能である。
また、前記実施形態では、光学ユニット３は平面視略Ｌ字形状を有した構成を説明したが、これに限らず、例えば、平面視略Ｕ字形状を有した構成を採用してもよい。
【００７３】
前記実施形態では、光入射面と光出射面とが異なる透過型の液晶パネル３５３を用いていたが、光入射面と光出射面とが同一となる反射型の液晶パネルを用いてもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【００７４】
前記実施形態では、画像の投射方向と、当該画像の観察方向とが略同じであるフロントタイプのプロジェクターを例示したが、本発明はこれに限らない。例えば、投射方向と観察方向とがそれぞれ反対方向となるリアタイプのプロジェクターにも適用できる。
前記実施形態では、調光装置５をプロジェクター１に採用した例を挙げたが、本発明はこれに限らない。すなわち、本発明の調光装置は、照明装置等の電子機器にも採用可能である。
【符号の説明】
【００７５】
１…プロジェクター、５，５Ａ…調光装置、３１…光源装置、３６…投射光学装置、５１…モーター（移動手段）、５２，５３…ギア（移動手段）、５４，５５…遮光羽根（第１遮光羽根及び第２遮光羽根）、３５３（３５３Ｒ，３５３Ｇ，３５３Ｂ）…液晶パネル（光変調装置）、５４１，５５１，５４１Ａ，５５１Ａ…アーム、５４２，５５２…遮光部、５４１４，５４１５，５５１４，５５１５…調整部（挿通孔）、５４３１，５５３１…本体部、５４３４，５４３６，５５３４，５５３６…延出部、５４３５，５４３７，５５３５，５５３７…孔部、Ｓ３，Ｓ４…ねじ（固定部材）。
【図１】
2015114500.tif 000003
【図２】
2015114500.tif 000004
【図３】
2015114500.tif 000005
【図４】
2015114500.tif 000006
【図５】
2015114500.tif 000007
【図６】
2015114500.tif 000008
【図７】
2015114500.tif 000009
【図８】
2015114500.tif 000010
【図９】
2015114500.tif 000011